(57)【要約】      （修正有）【課題】トロンボーンに似た竹製の管楽器を提供する。【解決手段】竹製管楽器１は、第１竹筒１１および第２竹筒２１を備える。第２竹筒２１は、第１竹筒１１に進退可能に挿入される。なお、第１竹筒１１の内周面および第２竹筒２１の外周面の少なくとも一方の面に菜種油や椿油などの潤滑剤が塗布されるのが好ましい。また、この竹製管楽器１にはマウスピース３０などが付属されるのが好ましい。そして、この竹製管楽器１は次のようにして操作される。先ず、片手で第１部品１０の持ち手１２を握り、もう一方の手で第２部品２０のグリップ２２を握る。次に、第２竹筒２１またはマウスピース３０に口を当てて息を吹き込みながら第１部品１０を第２竹筒２１に沿って進退させて音を奏でる。【選択図】図１
0003153055.tif 000002
【実用新案登録請求の範囲】
【請求項１】
第１竹筒と、
前記第１竹筒に進退可能に挿入される第２竹筒と
を備える竹製管楽器。
【請求項２】
前記第１竹筒の内周面および前記第２竹筒の外周面の少なくとも一方の面に塗布される潤滑剤をさらに備える
請求項１に記載の竹製管楽器。
【請求項３】
前記第２竹筒の端部のうち前記第１竹筒と対向する側の反対側の端部に装着される竹製のマウスピースをさらに備える
請求項１または２に記載の竹製管楽器。
【考案の詳細な説明】
【技術分野】
【０００１】
本考案は、トロンボーン似の竹製管楽器に関する。
【背景技術】
【０００２】
竹製の管楽器としては尺八や、笙、篠笛、縦笛、横笛などが広く知られている（例えば、特開平７−２３４６７０号公報や特開２００２−０１８８１５号公報など参照）。
【先行技術文献】
【特許文献】
【０００３】
【特許文献１】特開平７−２３４６７０号公報
【特許文献２】特開２００２−０１８８１５号公報
【考案の概要】
【考案が解決しようとする課題】
【０００４】
本考案の課題は、新規な竹製管楽器を提供することにある。
【課題を解決するための手段】
【０００５】
第１考案に係る竹製管楽器は、第１竹筒（外竹筒）および第２竹筒（内竹筒）を備える。第２竹筒は、第１竹筒に進退可能に挿入される。なお、本考案に用いることができる竹材としては、例えば、真竹、孟宗竹、黒竹、篠竹などが挙げられる。
本考案により、トロンボーン似の新たな竹製管楽器を世に提供することができる。
【０００６】
第２考案に係る竹製管楽器は、第１考案に係る竹製管楽器であって、潤滑剤をさらに備える。潤滑剤は、第１竹筒の内周面および第２竹筒の外周面の少なくとも一方の面に塗布される。
【０００７】
このため、この竹製管楽器では、第２竹筒に沿って第１竹筒をスムーズにスライド移動させることができ、なめらかな旋律の音楽を観客に提供することができる。
【０００８】
第３考案に係る竹製管楽器は、第１考案または第２考案に係る竹製管楽器であって、竹製のマウスピースをさらに備える。竹製のマウスピースは、第２竹筒の端部のうち第１竹筒と対向する側の反対側の端部の側に装着される。
このため、この竹製管楽器では、演奏者の衛生を守ることができ、また、演奏者毎にカスタマイズしたマウスピースを提供することができる。
【図面の簡単な説明】
【０００９】
【図１】本考案の実施の形態に係る竹製管楽器の斜視図である。
【図２】本考案の実施の形態に係る竹製管楽器の分解図である。
【図３】本考案の実施の形態に係る竹製管楽器のマウスピースの縦断面図である。
【考案を実施するための形態】
【００１０】
本考案の実施の形態に係る竹製管楽器１は、トロンボーン似の竹製管楽器であって、図１および図２に示されるように、主に、第１部品１０、第２部品２０およびマウスピース３０から構成される。以下、第１部品１０、第２部品２０およびマウスピース３０についてそれぞれ詳述する。
＜竹製管楽器の構成部品＞
（１）第１部品
第１部品１０は、図１および図２に示されるように、主に、第１竹筒１１および持ち手１２から構成される。
【００１１】
第１竹筒１１は、できるだけ真っ直ぐになるように矯めなおし（炙りながらの矯正加工）されている。また、この第１竹筒１１は、ほぼ直管形状の第２竹筒２１が進退自在に挿入可能となるように節がくりぬかれている。また、この第１竹筒１１の内空間は、第２竹筒２１の外寸とほぼ一致するように設計されている。また、この第１竹筒１１の先端（第２竹筒が挿入される側の端と反対側の端）側の部分Ｐｔ１は竹の根っ子になっており、その先端には所定寸法の開口が形成されている。また、この第１竹筒１１は、全体が漆でコーティングされている。また、漆コーティング後、この第１竹筒１１の内周面には菜種油が塗布されており、外周面には椿油が塗布されている。
【００１２】
持ち手１２は、演奏者が第１部品１０を第２竹筒２１に沿って進退させるのを容易にさせるための部材であって、籐により第１竹筒１１の基端側の部分Ｐｂ１に固定されている。
（２）第２部品
第２部品２０は、図１および図２に示されるように、主に、第２竹筒２１およびグリップ２２から構成される。
【００１３】
第２竹筒２１は、第１竹筒１１と同様に、できるだけ真っ直ぐになるように矯めなおしされている。また、この第２竹筒２１は、節がくりぬかれていると共に両端が開口しており、外寸が第１竹筒１１の内部空間にほぼ一致するように加工されている。そして、この第２竹筒２１は、全体が漆でコーティングされている。また、漆コーティング後、この第２竹筒２１の内周面には菜種油が塗布されており、外周面には椿油が塗布されている。
グリップ２２は、第２竹筒２１の基端（第１竹筒１１へ挿入される側と反対側の端）側の部分Ｐｂ２の外周に、籐により形成されている。
（３）マウスピース
【００１４】
マウスピース３０は、図３に示されるように、第３竹筒３１、第１蝋体３２ａおよび第２蝋体３２ｂから構成されている。第３竹筒３１には一つの節があり、その節には所定寸法の開口ＯＰが形成されている。また、この第３竹筒３１では、第２竹筒２１に挿入される側の内部空間ＳＰ２に第２蝋体３２ｂが形成され、その反対側の内部空間ＳＰ１に第１蝋体３２ａが形成されている。そして、これらの蝋体３２ａ，３２ｂの形成により、図３に示されるような逆切頭円錐形の吹き込み孔Ｂｂ１および切頭円錐形の空気通路Ｂｂ２が形成されている。つまり、このマウスピース３０では、基端（第２竹筒２１に挿入される側の反対側の端）から節に向かう従って吹き込み孔Ｂｂ１が徐々に狭くなっており、節から先端（第２竹筒２１に挿入される側の端）に向かうに従って空気通路Ｂｂ２が徐々に広がっている。
＜竹製管楽器の使用方法＞
この竹製管楽器１の操作方法は、トロンボーンの操作方法と同様である。
【００１５】
先ず、片手で第１部品１０の持ち手１２を握り、もう一方の手で第２部品２０のグリップ２２を握る。次に、マウスピース３０に口を当てて息を吹き込みながら第１部品１０を第２竹筒２１に沿って進退させて音を奏でる。
＜本考案の実施の形態に係る竹製管楽器の特徴＞
（１）
本考案の実施の形態に係る竹製管楽器１は、トロンボーン似の新規な竹製管楽器であり、様々な音楽パフォーマンスに貢献することができる。
（２）
【００１６】
本考案の実施の形態に係る竹製管楽器１では、第１竹筒１１の内周面に菜種油が塗布されており、第２竹筒２１の外周面に椿油が塗布されている。このため、この竹製管楽器１では、第２竹筒２１に沿って第１竹筒１１をスムーズにスライド移動させることができ、なめらかな旋律の音楽を観客に提供することができる。また、菜種油は竹筒１１，１２に艶や光沢を与える効果があり、椿油は竹筒１１，１２の割れ防止に効果がある。
（３）
【００１７】
本考案の実施の形態に係る竹製管楽器１には、マウスピース３０が付属している。このため、この竹製管楽器１では、演奏者の衛生を守ることができ、また、演奏者毎にカスタマイズしたマウスピースを提供することができる。また、この竹製管楽器１において、空気の流れのバランスをとることもできる。
（４）
【００１８】
本考案の実施の形態に係る竹製管楽器１では、竹筒１１，２１に漆がコーティングされている。このため、この竹製管楽器１では、竹筒１１，２１の割れを防ぐことができると共に音を硬く引き締めることができる（音色の強化）。
＜変形例＞
（Ａ）
【００１９】
先の実施の形態に係る竹製管楽器１では第１竹筒１１の内周面に菜種油が塗布されており、第２竹筒２１の外周面に椿油が塗布されていたが、第１竹筒１１の内周面および第２竹筒２１の外周面のいずれか一方にのみ油を塗布してもかまわない。
（Ｂ）
先の実施の形態に係る竹製管楽器１では潤滑剤として菜種油や椿油が採用されたが、他の潤滑剤が採用されてもかまわない。
（Ｃ）
【００２０】
先の実施の形態に係る竹製管楽器１では持ち手１２の固定部材やグリップ２２の素材として籐が採用されたが、竹ひご等、籐以外のものが採用されてもかまわない。
（Ｄ）
【００２１】
先の実施の形態に係る竹製管楽器１では竹筒１１，２１に漆がコーティングされていたが、同様の効果を得られるのであれば、漆以外のコーティング剤が用いられてもかまわない。
（Ｅ）
【００２２】
先の実施の形態に係るマウスピース３０では蝋体３２ａ，３２ｂの形成により逆切頭円錐形の吹き込み孔Ｂｂ１および切頭円錐形の空気通路Ｂｂ２が形成されていたが、他の素材から蝋体３２ａ，３２ｂと同様の形状体を形成して吹き込み孔Ｂｂ１および空気通路Ｂｂ２を形成してもかまわない。
【産業上の利用可能性】
【００２３】
本考案に係る竹製管楽器は、トロンボーン似の新規な竹製管楽器であり、様々な音楽パフォーマンスに貢献することができる。
【符号の説明】
【００２４】
１      竹製管楽器
１０      第１部品
１１      第１竹筒
１２      持ち手
２０      第２部品
２１      第２竹筒
２２      グリップ
３０      マウスピース
３１      第３竹筒
３２      蝋体
【図１】
0003153055.tif 000003
【図２】
0003153055.tif 000004
【図３】
0003153055.tif 000005